【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
物理上りリンク共用チャネルの送信に関連する復調用参照信号であって、復調用参照信号系列が系列グループ番号によって与えられる前記復調用参照信号を、基地局装置に送信する送信部を備え、
前記系列グループ番号は、第１のパラメータによって与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報であってＥ−ＰＤＣＣＨにおいて受信される下りリンク制御情報に対応する場合には、前記第１のパラメータの値は、前記第１の情報の値によって与えられ、
前記物理上りリンク共用チャネルの送信が、Ｔｅｍｐｏｒａｒｙ  Ｃ−ＲＮＴＩによってスクランブルされたＣＲＣパリティビットが付加された下りリンク制御情報であってＰＤＣＣＨにおいて受信される下りリンク制御情報に対応する場合には、前記第１のパラメータの値は、物理レイヤセルアイデンティティによって与えられる、
端末装置。
【請求項２】
前記復調用参照信号の前記復調用参照信号系列は、基準系列番号によって与えられ、
前記基準系列番号は、前記第１のパラメータによって与えられる、
請求項１に記載の端末装置。
【請求項３】
前記復調用参照信号の前記復調用参照信号系列は、サイクリックシフトの値によって与えられ、
前記サイクリックシフトの値は、第２のパラメータによって与えられ、
第２の情報の値が前記上位層によって設定され、かつ、前記物理上りリンク共用チャネルの送信がＣ−ＲＮＴＩによってスクランブルされたＣＲＣパリティビットが付加された下りリンク制御情報であってＥ−ＰＤＣＣＨにおいて受信される下りリンク制御情報に対応する場合には、前記第２のパラメータの値は、前記第２の情報の値によって与えられ、
前記物理上りリンク共用チャネルの送信が、Ｔｅｍｐｏｒａｒｙ  Ｃ−ＲＮＴＩによってスクランブルされたＣＲＣパリティビットが付加された下りリンク制御情報であってＰＤＣＣＨにおいて受信される下りリンク制御情報に対応する場合には、前記第２のパラメータの値は、前記物理レイヤセルアイデンティティによって与えられる、
請求項１に記載の端末装置。
【請求項４】
前記Ｔｅｍｐｏｒａｒｙ  Ｃ−ＲＮＴＩによってスクランブルされたＣＲＣパリティビットが付加された下りリンク制御情報は、ランダムアクセスプロシージャにおけるトランスポートブロックの再送信を指示するために用いられる、請求項１に記載の端末装置。
【請求項５】
物理上りリンク共用チャネルの送信に関連する復調用参照信号であって、復調用参照信号系列が系列グループ番号によって与えられる前記復調用参照信号を、端末装置から受信する受信部を備え、
前記系列グループ番号は、第１のパラメータによって与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報であってＥ−ＰＤＣＣＨにおいて送信される下りリンク制御情報に対応する場合には、前記第１のパラメータの値は、前記第１の情報の値によって与えられ、
前記物理上りリンク共用チャネルの送信が、Ｔｅｍｐｏｒａｒｙ  Ｃ−ＲＮＴＩによってスクランブルされたＣＲＣパリティビットが付加された下りリンク制御情報であってＰＤＣＣＨにおいて送信される下りリンク制御情報に対応する場合には、前記第１のパラメータの値は、物理レイヤセルアイデンティティによって与えられる、
基地局装置。
【請求項６】
前記復調用参照信号の前記復調用参照信号系列は、基準系列番号によって与えられ、
前記基準系列番号は、前記第１のパラメータによって与えられる、
請求項５に記載の基地局装置。
【請求項７】
前記復調用参照信号の前記復調用参照信号系列は、サイクリックシフトの値によって与えられ、
前記サイクリックシフトの値は、第２のパラメータによって与えられ、
第２の情報の値が前記上位層によって設定され、かつ、前記物理上りリンク共用チャネルの送信がＣ−ＲＮＴＩによってスクランブルされたＣＲＣパリティビットが付加された下りリンク制御情報であってＥ−ＰＤＣＣＨにおいて送信される下りリンク制御情報に対応する場合には、前記第２のパラメータの値は、前記第２の情報の値によって与えられ、
前記物理上りリンク共用チャネルの送信が、Ｔｅｍｐｏｒａｒｙ  Ｃ−ＲＮＴＩによってスクランブルされたＣＲＣパリティビットが付加された下りリンク制御情報であってＰＤＣＣＨにおいて送信される下りリンク制御情報に対応する場合には、前記第２のパラメータの値は、前記物理レイヤセルアイデンティティによって与えられる、
請求項５に記載の基地局装置。
【請求項８】
前記Ｔｅｍｐｏｒａｒｙ  Ｃ−ＲＮＴＩによってスクランブルされたＣＲＣパリティビットが付加された下りリンク制御情報は、ランダムアクセスプロシージャにおけるトランスポートブロックの再送信を指示するために用いられる、請求項５に記載の基地局装置。
【請求項９】
端末装置における通信方法であって、
物理上りリンク共用チャネルの送信に関連する復調用参照信号であって、復調用参照信号系列が系列グループ番号によって与えられる前記復調用参照信号を、基地局装置に送信する第１の過程
を有し、
前記系列グループ番号は、第１のパラメータによって与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報であってＥ−ＰＤＣＣＨにおいて受信される下りリンク制御情報に対応する場合には、前記第１のパラメータの値は、前記第１の情報の値によって与えられ、
前記物理上りリンク共用チャネルの送信が、Ｔｅｍｐｏｒａｒｙ  Ｃ−ＲＮＴＩによってスクランブルされたＣＲＣパリティビットが付加された下りリンク制御情報であってＰＤＣＣＨにおいて受信される下りリンク制御情報に対応する場合には、前記第１のパラメータの値は、物理レイヤセルアイデンティティによって与えられる、
通信方法。
【請求項１０】
基地局装置における通信方法であって、
物理上りリンク共用チャネルの送信に関連する復調用参照信号であって、復調用参照信号系列が系列グループ番号によって与えられる前記復調用参照信号を、端末装置から受信する第１の過程
を有し、
前記系列グループ番号は、第１のパラメータによって与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報であってＥ−ＰＤＣＣＨにおいて送信される下りリンク制御情報に対応する場合には、前記第１のパラメータの値は、前記第１の情報の値によって与えられ、
前記物理上りリンク共用チャネルの送信が、Ｔｅｍｐｏｒａｒｙ  Ｃ−ＲＮＴＩによってスクランブルされたＣＲＣパリティビットが付加された下りリンク制御情報であってＰＤＣＣＨにおいて送信される下りリンク制御情報に対応する場合には、前記第１のパラメータの値は、物理レイヤセルアイデンティティによって与えられる、
通信方法。
【請求項１１】
端末装置に実装可能な集積回路であって、前記端末装置に
物理上りリンク共用チャネルの送信に関連する復調用参照信号であって、復調用参照信号系列が系列グループ番号によって与えられる前記復調用参照信号を、基地局装置に送信する第１の過程
を実行させ、
前記系列グループ番号は、第１のパラメータによって与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報であってＥ−ＰＤＣＣＨにおいて受信される下りリンク制御情報に対応する場合には、前記第１のパラメータの値は、前記第１の情報の値によって与えられ、
前記物理上りリンク共用チャネルの送信が、Ｔｅｍｐｏｒａｒｙ  Ｃ−ＲＮＴＩによってスクランブルされたＣＲＣパリティビットが付加された下りリンク制御情報であってＰＤＣＣＨにおいて受信される下りリンク制御情報に対応する場合には、前記第１のパラメータの値は、物理レイヤセルアイデンティティによって与えられる、
集積回路。
【請求項１２】
基地局装置に実装可能な集積回路であって、前記基地局装置に、
物理上りリンク共用チャネルの送信に関連する復調用参照信号であって、復調用参照信号系列が系列グループ番号によって与えられる前記復調用参照信号を、端末装置から受信する第１の過程
を実行させ、
前記系列グループ番号は、第１のパラメータによって与えられ、
第１の情報の値が上位層によって設定され、かつ、前記物理上りリンク共用チャネルの送信がＣ−ＲＮＴＩによってスクランブルされたＣＲＣパリティビットが付加された下りリンク制御情報であってＥ−ＰＤＣＣＨにおいて送信される下りリンク制御情報に対応する場合には、前記第１のパラメータの値は、前記第１の情報の値によって与えられ、
前記物理上りリンク共用チャネルの送信が、Ｔｅｍｐｏｒａｒｙ  Ｃ−ＲＮＴＩによってスクランブルされたＣＲＣパリティビットが付加された下りリンク制御情報であってＰＤＣＣＨにおいて送信される下りリンク制御情報に対応する場合には、前記第１のパラメータの値は、物理レイヤセルアイデンティティによって与えられる、
集積回路。
【手続補正２】
【補正対象書類名】明細書
【補正対象項目名】発明の名称
【補正方法】変更
【補正の内容】
【発明の名称】端末装置、基地局装置、通信方法および集積回路
【手続補正３】
【補正対象書類名】明細書
【補正対象項目名】０００１
【補正方法】変更
【補正の内容】
【０００１】
本発明は、端末装置、基地局装置、通信方法および集積回路に関する。
【手続補正４】
【補正対象書類名】明細書
【補正対象項目名】０００７
【補正方法】変更
【補正の内容】
【０００７】
本発明は、上記問題を鑑みてなされたものであり、その目的は、基地局と端末が、上りリンク信号または上りリンク参照信号に関するパラメータを決定し、効率的に通信することができる端末装置、基地局装置、通信方法および集積回路を提供する。